(57)【要約】【課題】枕本体を任意の形状に調節可能とすることにより、就寝時において身体に理想的にフィットさせることができる抱き枕を提供する。【解決手段】弾力性を有する枕本体２と、該枕本体２内に配設される、折曲した際に形状を保持することができる形状保持体１０とを備える。枕本体２は、円柱形、多角柱形、楕円形、幾何学形、動物形、植物形、ぬいぐるみ形に形成することができ、前記形状保持体１０は、銅、鉄、アルミニウム、ステンレスのうち、いずれか一種の金属にて形成することができる。【選択図】図１
2016030156.tif 000002
【特許請求の範囲】
【請求項１】
弾力性を有する枕本体と、該枕本体内に配設される、折曲した際に形状を保持することができる形状保持体と、を備えることを特徴とする抱き枕。
【請求項２】
前記枕本体が円柱形、多角柱形、楕円形、幾何学形、動物形、植物形、ぬいぐるみ形のうちいずれか一つの形状である請求項１記載の抱き枕。
【請求項３】
前記形状保持体が、銅、鉄、アルミニウム、ステンレスのうちいずれか一種の金属にて形成されている請求項１または２記載の抱き枕。
【請求項４】
前記形状保持体が、曲げた形状を保持できる金属フレキシブルチューブである請求項１または２記載の抱き枕。
【請求項５】
前記形状保持体を、枕本体内に少なくとも２本配設する請求項３または４記載の抱き枕。
【発明の詳細な説明】
【技術分野】
【０００１】
本発明は抱き枕に関し、詳しくは就寝時において、さまざまな横臥姿勢に理想的にフィットさせることができる抱き枕に関する。
【背景技術】
【０００２】
従来より、就寝時において抱くように使用する抱き枕は知られている。一般的な抱き枕は、横臥時の横向きの姿勢での安定感を向上させるため、綿や発泡ウレタン等の弾力性のある素材で形成されている。また、全体形状も円筒形、楕円形、動物形、ぬいぐるみタイプ等、のさまざまな形状のものが開発されている。
【０００３】
また、抱き枕に関連する先行技術として、変化に富んだ触感が得られると共に、ユーザーの好みに応じて、それぞれの部位における触感を変えることができる抱き枕が報告されている（例えば、特許文献１参照）。
特許文献１に開示の抱き枕は、内袋にクッション材を充填して形成された複数のクッション体を、ファスナーによって開閉可能とされた１つの外袋で包んで構成された抱き枕である。この抱き枕は、各クッション体の前記クッション材が、触感の異なる複数の材質で構成されている。
【先行技術文献】
【特許文献】
【０００４】
【特許文献１】特開２００８−１８８１５７号公報（特許請求の範囲等）
【発明の概要】
【発明が解決しようとする課題】
【０００５】
しかしながら、上掲特許文献１に記載された抱き枕は、外袋内に触感の異なる材質の複数のクッション体が配置されているため、製造コストや材料費が嵩むという問題があった。また、横臥時において、全体形状を任意に調節することはできなかった。
【０００６】
そこで本発明の目的は、上記問題点を解消して、枕本体を任意の形状に調節可能とすることにより、就寝時において身体に理想的にフィットさせることができる抱き枕を提供することにある。
【課題を解決するための手段】
【０００７】
上記課題を解決するために、本発明の抱き枕は、弾力性を有する枕本体と、該枕本体内に配設される、折曲した際に形状を保持することができる形状保持体と、を備えることを特徴とする。
【０００８】
前記枕本体は、円柱形、多角柱形、楕円形、幾何学形、動物形、植物形、ぬいぐるみ形のうち、いずれか一つの形状とすることができる。
【０００９】
また、前記形状保持体は、銅、鉄、アルミニウム、ステンレスのうち、いずれか一種の金属にて形成することができる。
【００１０】
さらに、前記形状保持体は、曲げた形状を保持できる金属フレキシブルチューブで形成することもできる。
【００１１】
さらにまた、前記形状保持体を枕本体内に少なくとも２本配設することが望ましい。
【発明の効果】
【００１２】
本発明によれば、弾力性を有する枕本体と、該枕本体内に配設される、折曲した際に形状を保持することができる形状保持体とを備えることにより、枕本体を任意の形状に調節することができ、就寝時において身体に理想的にフィットさせることができる。
【００１３】
また、形状保持体を、曲げた形状を保持できる単一の金属や金属のフレキシブルチューブにて形成することで、製造工程や材料コストを低減することができる。
【図面の簡単な説明】
【００１４】
【図１】本発明の好適例の抱き枕の全体斜視図である。
【図２】好適例の形状保持体の斜視図である。
【図３】他の好適例の形状保持体の斜視図である。
【図４】更に他の好適例の形状保持体の斜視図である。
【図５】本発明の好適例の抱き枕の断面図である。
【図６】図５に示す抱き枕を折曲した状態の断面図である。
【図７】図５に示す抱き枕を折曲した状態の斜視図である。
【図８】図５に示す抱き枕を他の形状に折曲した状態の斜視図である。
【図９】図５に示す抱き枕の使用状態の斜視図である。
【発明を実施するための形態】
【００１５】
以下、本発明における抱き枕の実施の形態を図面に基づいて説明する。
【００１６】
図示する抱き枕１は、弾力性を有する枕本体２と、該枕本体２内に内設される、折曲した際に形状を保持することができる形状保持体１０とを備える。本発明の抱き枕は、枕本体を任意の形状に調節可能とすることにより、就寝時において身体に理想的にフィットさせることができる。
【００１７】
枕本体２は、好適には発泡ウレタン等の弾力性を有する素材からなり、図示例では全体が円柱状に形成されている。また、枕本体２は、図８に示すように、横臥時に身体の頭や脚を乗せることができる大きさからなることが好ましい。なお、枕本体２の周囲は、カバー材（図示せず）で被覆してもよい。
【００１８】
また、枕本体２の形状は円柱状に限定されたものではなく、３〜８角柱等の多角柱形、断面が楕円形状、またはさまざまな幾何学的な形状であってもよい。あるいは、イルカや猫等を模した動物形状、チューリップやひまわり等の植物形状、さらにはアニメキャラクター等のぬいぐるみ形状に形成することもできる。
【００１９】
図２に示すように、枕本体２内に収容される形状保持体１０は、アルミニウム、銅、鉄、ステンレス等の素材にて好適に形成することができる。特に、本発明の抱き枕１においては、形状保持体１０をアルミニウムで形成することが好ましい。形状保持体１０を枕本体２の中心部分に配設することにより、枕本体２をヘ字状や波状等に自在に屈曲させて形状を保持させることができる。
【００２０】
また他の好適例として、形状保持部材１０を金属フレキシブルチューブ１１で形成することもできる。金属フレキシブルチューブ１１は、図３に示すように、全体が蛇腹状に連結されている構成とすることができる。このような構成とすることで、複数の連結部分を少ない力で容易に、且つ自在に折曲させることができる。
【００２１】
また、他の好適例として、図４に示すように、形状保持部材１０を少なくとも２本配設することもできる。枕本体２を形成する発泡ウレタンは、発泡度により弾力性や復元力が異なる。そのため、復元力の高い枕本体２においては、形状保持部材１０を２本、もしくは３〜５本組み合わせて配設させてもよい。なお、図４では、形状保持部材１０は、連接した状態で複数配設されているが、これに限らず、互いに間隔を有した状態で複数配設してもよい。
【００２２】
本発明の抱き枕は、上述の構成とすることにより、枕本体を任意の形状に調節可能となり、就寝時において身体に理想的にフィットさせることができることができる。また、枕本体内に形状保持体を収容する構造なので、製造工程や材料費を大幅に削減することができる。
【符号の説明】
【００２３】
１  抱き枕
２  枕本体
１０  形状保持部材
１１  金属フレキシブルチューブ
【図１】
2016030156.tif 000003
【図２】
2016030156.tif 000004
【図３】
2016030156.tif 000005
【図４】
2016030156.tif 000006
【図５】
2016030156.tif 000007
【図６】
2016030156.tif 000008
【図７】
2016030156.tif 000009
【図８】
2016030156.tif 000010
【図９】
2016030156.tif 000011